(57)【要約】【課題】第一連結対象物に対して第二連結対象物が閉じる方向に回動したときに、スライダの位置によらず、ダンパによる緩衝効果を発生させることができるヒンジを提供することを課題とする。【解決手段】第一連結対象物または第二連結対象物のいずれか一方に固定されるケース１０と、ケース１０に回動可能に支持され、第一連結対象物または第二連結対象物のいずれか他方に固定されるカムブロック２０と、カムブロック２０に接近する方向および離間する方向に移動可能にケース１０の収容室１１に収容され、カムブロック２０のカム面２１に当接可能に構成されるスライダ４０と、スライダ４０をカムブロック２０に接近する方向に付勢する付勢部材５０と、ダンパ６０と、ケース１０に回動可能に支持され、カムブロック２０のカム面２１に当接可能、かつ、ダンパ６０のピストン６２のロッド部６３に当接可能に構成されるアーム７０と、を具備するヒンジ１とする。【選択図】図２
2014029181.tif 000002
【特許請求の範囲】
【請求項１】
第一連結対象物に第二連結対象物を回動可能に連結するヒンジであって、
収容室を備え、前記第一連結対象物または前記第二連結対象物のいずれか一方に固定されるケースと、
カム面を備え、前記ケースに回動可能に支持され、前記第一連結対象物または前記第二連結対象物のいずれか他方に固定されるカムブロックと、
前記カムブロックに接近する方向および前記カムブロックから離間する方向に移動可能に前記ケースの収容室に収容され、前記カムブロックのカム面に当接可能に構成されるスライダと、
前記スライダを前記カムブロックに接近する方向に付勢する付勢部材と、
シリンダと、前記シリンダからロッド部が突出するように配置されるピストンと、を備え、前記ピストンのロッド部における前記シリンダからの突出長が短くなるように前記ピストンを移動させることによって緩衝効果が発生するように構成されるダンパと、
前記ケースに回動可能に支持され、前記カムブロックのカム面に当接可能、かつ、前記ダンパのピストンのロッド部に当接可能に構成されるアームと、
を具備し、
前記第一連結対象物に対して前記第二連結対象物が閉じる方向に回動すると、
前記カムブロックが回動し、前記アームが前記カムブロックのカム面に当接した状態で回動して前記ダンパのピストンのロッド部を押し込み、前記ダンパのピストンが前記ダンパのピストンのロッド部における前記シリンダからの突出長が短くなるように移動するとともに、
前記カムブロックが回動して前記カムブロックのカム面に当接した状態で前記スライダを押し込み、前記スライダが前記カムブロックから離間する方向に移動するように構成される、
ヒンジ。
【請求項２】
前記第一連結対象物に対する前記第二連結対象物の回動角度が、前記第一連結対象物に対して前記第二連結対象物が開く方向に回動するときに増加するものとして定義され、
前記第一連結対象物に対して前記第二連結対象物が閉じる方向に回動して前記第一連結対象物に対する前記第二連結対象物の回動角度が所定の回動角度以下となったときに、前記スライダが前記カムブロックのカム面に当接した状態が解消されて、前記スライダにおける前記カムブロックから離間する方向への移動が停止するように構成される、
請求項１に記載のヒンジ。
【請求項３】
前記アームは、前記ダンパのピストンのロッド部を押し込むときに、前記ダンパのピストンのロッド部における前記シリンダからの突出長が短くなるように移動するときの前記ピストンの移動方向に沿って移動するように構成される、
請求項１または請求項２に記載のヒンジ。
【発明の詳細な説明】
【技術分野】
【０００１】
本発明は、ヒンジの技術に関する。
【背景技術】
【０００２】
第一連結対象物に第二連結対象物を回動可能に連結するヒンジに関する技術は、種々知られている。
前記ヒンジには、本体および原稿圧着板を備えて構成される事務機（スキャナー、ファクス、コピー機、または、複合機等）に備えられて、事務機の本体（第一連結対象物）に原稿圧着板（第二連結対象物）を回動可能に連結するものがある（特許文献１参照）。
前記ヒンジは、ケースと、カムブロックと、スライダと、付勢部材（巻きバネ）と、ダンパと、アームと、を具備し、ケースが事務機の本体に固定され、カムブロックが事務機の原稿圧着板に固定される。
前記ヒンジは、事務機の本体に対して原稿圧着板が閉じる方向（回動角度が小さくなる方向に）に回動したときに、カムブロックが回動することによってアームがカムブロックに当接した状態で回動してダンパのピストンのロッド部を押し込み、また、カムブロックが回動して付勢部材の付勢力に抗してスライダを押し込み、ダンパによる緩衝効果と、付勢部材による緩衝効果と、が発生するように構成される。
【先行技術文献】
【特許文献】
【０００３】
【特許文献１】特開２０１１−２４７９５４号公報
【発明の概要】
【発明が解決しようとする課題】
【０００４】
しかしながら、前記ヒンジでは、アームがスライダに回動可能に設けられており、事務機の本体に対して原稿圧着板が閉じる方向に回動してカムブロックが回動したときに、カムブロックによって押し込まれるスライダの位置によっては、カムブロックがアームに当接しない場合がある。
このため、前記ヒンジでは、事務機の本体に対して原稿圧着板が閉じる方向に回動してカムブロックが回動しても、スライダの位置によっては、アームを回動させることができず、アームによるダンパのピストンのロッド部を押し込む動作を行えない場合がある。
つまり、前記ヒンジでは、事務機の本体に対して原稿圧着板が閉じる方向に回動してカムブロックが回動しても、スライダの位置によっては、ダンパによる緩衝効果が発生しない場合がある。
【０００５】
本発明は以上の如き状況に鑑みてなされたものであり、第一連結対象物に対して第二連結対象物が閉じる方向に回動したときに、スライダの位置によらず、ダンパによる緩衝効果を発生させることができるヒンジを提供することを課題とする。
【課題を解決するための手段】
【０００６】
本発明の解決しようとする課題は以上の如くであり、次にこの課題を解決するための手段を説明する。
【０００７】
即ち、請求項１においては、第一連結対象物に第二連結対象物を回動可能に連結するヒンジであって、収容室を備え、前記第一連結対象物または前記第二連結対象物のいずれか一方に固定されるケースと、カム面を備え、前記ケースに回動可能に支持され、前記第一連結対象物または前記第二連結対象物のいずれか他方に固定されるカムブロックと、前記カムブロックに接近する方向および前記カムブロックから離間する方向に移動可能に前記ケースの収容室に収容され、前記カムブロックのカム面に当接可能に構成されるスライダと、前記スライダを前記カムブロックに接近する方向に付勢する付勢部材と、シリンダと、前記シリンダからロッド部が突出するように配置されるピストンと、を備え、前記ピストンのロッド部における前記シリンダからの突出長が短くなるように前記ピストンを移動させることによって緩衝効果が発生するように構成されるダンパと、前記ケースに回動可能に支持され、前記カムブロックのカム面に当接可能、かつ、前記ダンパのピストンのロッド部に当接可能に構成されるアームと、を具備し、前記第一連結対象物に対して前記第二連結対象物が閉じる方向に回動すると、前記カムブロックが回動し、前記アームが前記カムブロックのカム面に当接した状態で回動して前記ダンパのピストンのロッド部を押し込み、前記ダンパのピストンが前記ダンパのピストンのロッド部における前記シリンダからの突出長が短くなるように移動するとともに、前記カムブロックが回動して前記カムブロックのカム面に当接した状態で前記スライダを押し込み、前記スライダが前記カムブロックから離間する方向に移動するように構成されるものである。
【０００８】
請求項２においては、前記第一連結対象物に対する前記第二連結対象物の回動角度が、前記第一連結対象物に対して前記第二連結対象物が開く方向に回動するときに増加するものとして定義され、前記第一連結対象物に対して前記第二連結対象物が閉じる方向に回動して前記第一連結対象物に対する前記第二連結対象物の回動角度が所定の回動角度以下となったときに、前記スライダが前記カムブロックのカム面に当接した状態が解消されて、前記スライダにおける前記カムブロックから離間する方向への移動が停止するように構成されるものである。
【０００９】
請求項３においては、前記アームは、前記ダンパのピストンのロッド部を押し込むときに、前記ダンパのピストンのロッド部における前記シリンダからの突出長が短くなるように移動するときの前記ピストンの移動方向に沿って移動するように構成されるものである。
【発明の効果】
【００１０】
本発明の効果として、以下に示すような効果を奏する。
【００１１】
即ち、本発明によれば、第一連結対象物に対して第二連結対象物が閉じる方向に回動したときに、スライダの位置によらず、ダンパによる緩衝効果を発生させることができる。
【図面の簡単な説明】
【００１２】
【図１】本発明の第一実施形態に係るヒンジと事務機とを示した正面図。
【図２】同じくヒンジ（回動角度がθ＝７５°より大きい状態）の断面図。
【図３】同じくヒンジ（回動角度がθ＝７５°より大きい状態）の平面図。
【図４】同じくヒンジのスライダの断面図。
【図５】同じくヒンジのスライダの平面図。
【図６】同じくヒンジのアームの平面図。
【図７】同じくヒンジ（回動角度がθ＝７５°の状態）の断面図。
【図８】同じくヒンジ（回動角度がθ＝０°の状態）の断面図。
【図９】本発明の第二実施形態に係るヒンジ（回動角度がθ＝７５°より大きい状態）の断面図。
【図１０】同じくヒンジ（回動角度がθ＝７５°より大きい状態）の平面図。
【図１１】同じくヒンジのアームの平面図。
【図１２】同じくヒンジのスライダの断面図。
【図１３】同じくヒンジのスライダの平面図。
【図１４】同じくヒンジ（回動角度がθ＝７５°の状態）の断面図。
【図１５】同じくヒンジ（回動角度がθ＝０°の状態）の断面図。
【発明を実施するための形態】
【００１３】
次に、本発明の第一実施形態に係るヒンジ１について、図１から図８を用いて説明する。
【００１４】
図１に示すように、ヒンジ１は、本体９１および原稿圧着板９２を備える事務機９０に備えられる。
事務機９０とは、スキャナー、ファクス、コピー機、または、複合機（スキャナー機能、ファクス機能、および／または、コピー機能を有する事務機９０）等の装置を示す。
事務機９０の本体９１は、本発明に係る第一連結対象物の実施の一形態である。事務機９０の本体９１は、制御装置、印刷装置、表示装置および入力装置を具備する。
事務機９０の原稿圧着板９２は、本発明に係る第二連結対象物の実施の一形態である。事務機９０の原稿圧着板９２は、読取前原稿収容トレイ、ＡＤＦ（Ａｕｔｏ Ｄｏｃｕｍｅｎｔ Ｆｅｅｄｅｒ）および読取後原稿収容トレイを具備する。
【００１５】
図１乃至図３に示すように、ヒンジ１は、ケース１０と、カムブロック２０と、回動ピン３０、スライダ４０と、付勢部材５０と、ダンパ６０と、アーム７０と、アームピン８０と、を具備する。
ヒンジ１は、ケース１０が事務機９０の本体９１に固定され、カムブロック２０が事務機９０の原稿圧着板９２に固定されて、事務機９０の本体９１に原稿圧着板９２を回動可能に連結する。
【００１６】
事務機９０の原稿圧着板９２が（本体９１に対して）閉じている状態は、原稿圧着板９２の下面が本体９１の上面に当接した状態を指す。
また、事務機９０の原稿圧着板９２が（本体９１に対して）開いている状態は、原稿圧着板９２が本体９１に対して回動することにより、原稿圧着板９２の下面および本体９１の上面（原稿圧着板９２の下面前端部および本体９１の上面前端部）が離間した状態を指す。
事務機９０の原稿圧着板９２が閉じているときの原稿圧着板９２の回動角度θ（より厳密には、本体９１に対する原稿圧着板９２の回動角度θ）を「０°」とし、原稿圧着板９２が開く方向（原稿圧着板９２の下面が本体９１の上面から離間する方向）に回動するときに回動角度θが増加する（回動角度θの値が正になる）ものとして、原稿圧着板９２の回動角度θを定義する。
【００１７】
図２または図３に示すように、ヒンジ１のケース１０は、箱状の部材であり、側方が開口する有底略四角筒状に形成される。
ケース１０は、収納室１１と、支持部１２と、第一ピン孔１３と、第二ピン孔１４と、を備える。
【００１８】
ヒンジ１のケース１０の収納室１１は、前記四角筒状の内側の空間（ケース１０の上板、下板、両側板、及び、底板の内側の空間）で構成される。
ケース１０の収納室１１は、スライダ４０、付勢部材５０、および、ダンパ６０、が収納されるように構成される。
【００１９】
ヒンジ１のケース１０の支持部１２は、カムブロック２０およびアーム７０を支持する。
ケース１０の支持部１２は、ケース１０の両側板が収納室１１の開口よりも左方にそれぞれ突出するように形成される部分で構成される。
【００２０】
ヒンジ１のケース１０の第一ピン孔１３は、ケース１０のそれぞれの支持部１２に配置される。
ケース１０の第一ピン孔１３は、ケース１０の両側板をそれぞれ前後方向に貫通するように形成される。ケース１０の第一ピン孔１３は、回動ピン３０が挿入可能に構成される。
【００２１】
ヒンジ１のケース１０の第二ピン孔１４は、ケース１０のそれぞれの支持部１２に配置される。ケース１０の第二ピン孔１４は、第一ピン孔１３よりも右方（ケース１０の底板側）に配置される。ケース１０の第二ピン孔１４は、第一ピン孔１３よりも下方（ケース１０の下板側）に配置される。
ケース１０の第二ピン孔１４は、ケース１０の両側板をそれぞれ前後方向に貫通するように形成される。ケース１０の第二ピン孔１４は、アームピン８０が挿入可能に構成される。
【００２２】
ヒンジ１のカムブロック２０は、ケース１０（ケース１０の支持部１２）に回動可能に支持される。
カムブロック２０は、カム面２１と、貫通孔２４と、を備える。
カムブロック２０は、そのカム面２１がケース１０の収納室１１の左方（ケース１０の収納室１１の外側）に位置するように配置される。
【００２３】
ヒンジ１のカムブロック２０のカム面２１は、カムブロック２０の下部に配置される。
カムブロック２０のカム面２１は、滑らかな曲面であり、カムブロック２０の下右面で構成される。
カムブロック２０のカム面２１は、アーム側カム面２２と二つのスライダ側カム面２３とで構成される。
【００２４】
ヒンジ１のカムブロック２０のアーム側カム面２２は、事務機の本体９１に対する原稿圧着板９２の回動角度が７５°よりも大きい状態では、アーム７０に当接可能に構成される。
カムブロック２０のアーム側カム面２２は、凸状の曲面で構成される。
【００２５】
ヒンジ１のカムブロック２０のスライダ側カム面２３は、スライダ４０に当接可能に構成される。
カムブロック２０のスライダ側カム面２３は、アーム側カム面２２の前後（両側）にそれぞれ配置される。カムブロック２０のスライダ側カム面２３は、事務機の本体９１に対する原稿圧着板９２の回動角度が７５°よりも大きい状態では、アーム側カム面２２よりもケース１０の収納室１１側に位置するように形成される。
カムブロック２０のスライダ側カム面２３は、凹状の曲面で構成される。
【００２６】
ヒンジ１のカムブロック２０の貫通孔２４は、カムブロック２０の前部に配置される。
カムブロック２０の貫通孔２４は、カムブロック２０を前後方向に貫通するように形成される。
カムブロック２０の貫通孔２４は、回動ピン３０が挿入可能に構成される。
【００２７】
ヒンジ１のカムブロック２０は、カムブロック２０の貫通孔２４およびケース１０の第一ピン孔１３に回動ピン３０が挿入されて、ケース１０に回動可能に支持される。
カムブロック２０は、回動ピン３０を回動軸としてケース１０に対して回動可能に構成される。
【００２８】
図２乃至図５に示すように、ヒンジ１のスライダ４０は、カムブロック２０のカム面２１（スライダ側カム面２３）に当接可能に構成される。
スライダ４０は、箱状の部材であり、右方が開口する有底略四角筒状に形成される。
スライダ４０は、スライダ４０の底板をカムブロック２０側に向け、スライダ４０の外側の面がケース１０の内側の面（ケース１０の上板、下板、及び、両側板の内側の面）に当接するようにして、ケース１０の収容室に収容される。
スライダ４０は、カムブロック２０に接近する方向およびカムブロック２０から離間する方向に移動可能に構成される。
スライダ４０は、ロッド孔４１と、当接部４２と、を備える。
【００２９】
ヒンジ１のスライダ４０のロッド孔４１は、ダンパ６０のピストン６２のロッド部６３が挿入されるように構成される。
スライダ４０のロッド孔４１は、スライダ４０の底板の略中央に配置される。
スライダ４０のロッド孔４１は、左右方向に貫通するように構成される。
【００３０】
ヒンジ１のスライダ４０の当接部４２は、カムブロック２０（スライダ側カム面２３、または、カムブロック２０におけるスライダ側カム面２３の上下の面）に当接するように構成される。
スライダ４０の当接部４２は、スライダ４０の上下略中央に配置される。
スライダ４０の当接部４２は、ロッド孔４１の前後において底板から左方（カムブロック２０側）にそれぞれ突出するように形成される。
スライダ４０の当接部４２は、その左方（カムブロック２０側）の面が滑らかな曲面で構成される。
【００３１】
図２または図３に示すように、ヒンジ１の付勢部材５０は、巻きバネであり、スライダ４０をカムブロック２０に接近する方向（左方）に付勢するように構成される。
付勢部材５０は、ケース１０の収納室１１に収容される。付勢部材５０は、その一端部（右端部）が勢力調整部材（不図示）を介してケース１０の底板の内側の面に当接し、その他端部（左端部）がスライダ４０の底板の内側の面に当接するように配置される。
なお、勢力調整部材は、付勢部材５０の付勢力（圧縮される方向に弾性変形した付勢部材５０が元の形状に戻ろうとする力）の大きさを調整するものである。
付勢部材５０は、スライダ４０をカムブロック２０に接近する方向に付勢してカムブロック２０のスライダ側カム面２３に当接させることによって、ケース１０に対して開く方向に回動するようにカムブロック２０を付勢する。
【００３２】
ヒンジ１のダンパ６０は、シリンダ６１とピストン６２とを備える流体ダンパ装置である。
ダンパ６０は、シリンダ６１内に非圧縮性の流体の一種であるシリコンオイルが充填されて構成される。ダンパ６０は、ピストン６２のロッド部６３がシリンダ６１から左方に突出するとともにピストン６２の胴部（不図示）がシリンダ６１内に位置するようにピストン６２が配置されて構成される。ダンパ６０は、シリンダ６１と略同軸上にその軸方向にピストン６２が移動可能に設けられて構成される。
【００３３】
ヒンジ１のダンパ６０は、ピストン６２のロッド部６３に外力を加えて、ピストン６２のロッド部６３におけるシリンダ６１からの突出長が短くなるようにピストン６２を移動させることによってシリコンオイルの粘性抵抗により反力（ピストン６２を押し返す力）が発生し、緩衝効果が発生するように構成される。
ダンパ６０は、ピストン６２のロッド部６３におけるシリンダ６１からの突出長が短くなるようにピストン６２を移動させた後、前記ピストン６２のロッド部６３に加えられる外力を解除した場合、シリンダ６１内の戻しバネ（不図示）の付勢力によって、ピストン６２のロッド部６３におけるシリンダ６１からの突出長が長くなるようにピストン６２が移動するように構成される。
【００３４】
ヒンジ１のダンパ６０は、ケース１０の収納室１１に固定されて配置される。
ダンパ６０は、そのシリンダ６１がスライダ４０および付勢部材５０の内側に位置するように配置される。
ダンパ６０は、そのピストン６２のロッド部６３がスライダ４０のロッド孔４１に挿入されてスライダ４０外（カムブロック２０側）に突出するように配置される。
ダンパ６０は、そのピストン６２の軸線上にカムブロック２０のアーム側カム面２２が位置するように配置される。
【００３５】
図２、図３、または、図６に示すように、ヒンジ１のアーム７０は、ケース１０（ケース１０の支持部１２）に回動可能に支持される。
アーム７０は、カムブロック２０のカム面２１（アーム側カム面２２）に当接可能、かつ、ダンパ６０のピストン６２のロッド部６３に当接可能に構成される。
アーム７０は、当接部７２と、貫通孔７１と、を備える。
【００３６】
ヒンジ１のアーム７０の当接部７２は、アーム７０の上部に配置される。
アーム７０の当接部７２は、凸状の曲面であり、アーム７０の上右面で構成される。
【００３７】
ヒンジ１のアーム７０の貫通孔７１は、アーム７０の下部に配置される。
アーム７０の貫通孔７１は、アーム７０を前後方向に貫通するように形成される。
アーム７０の貫通孔７１は、アームピン８０が挿入可能に構成される。
【００３８】
ヒンジ１のアーム７０は、アーム７０の貫通孔７１およびケース１０の第二ピン孔１４にアームピン８０が挿入されて、ケース１０に回動可能に支持される。
アーム７０は、アームピン８０を回動軸としてケース１０に対して回動可能に構成される。
【００３９】
ヒンジ１のアーム７０は、ケース１０の両支持部１２の内側に配置される。アーム７０は、スライダ４０の両当接部４２の内側に配置される。アーム７０は、その上部（当接部４２）がカムブロック２０のアーム側カム面２２とダンパ６０のピストン６２のロッド部６３との間に位置するように、配置される。アーム７０は、その上部（当接部４２）がカムブロック２０の両スライダ側カム面２３の間に位置するように配置される。
アーム７０は、その上部の左面（カムブロック２０側の面）がカムブロック２０のカム面２１（アーム側カム面２２）に当接するとともに、その当接部４２がダンパ６０のピストン６２のロッド部６３に当接するように、配置される。
【００４０】
図２、図７、または、図８に示すように、ヒンジ１は、事務機９０の本体９１（第一連結対象物）に対して原稿圧着板９２（第二連結対象物）が閉じる方向（回動角度が小さくなる方向に）に回動すると、カムブロック２０が回動し、アーム７０がカムブロック２０のアーム側カム面２２に当接した状態で回動してダンパ６０のピストン６２のロッド部６３を押し込み、ピストン６２が戻しバネの付勢力に抗してピストン６２のロッド部６３におけるシリンダ６１からの突出長が短くなるように移動するように構成される。
また、ヒンジ１は、事務機９０の本体９１（第一連結対象物）に対して原稿圧着板９２（第二連結対象物）が閉じる方向に回動すると、カムブロック２０が回動してカムブロック２０のスライダ側カム面２３に当接されるスライダ４０を押し込み、スライダ４０が付勢部材５０の付勢力に抗してカムブロック２０から離間する方向に移動するように構成される。
ヒンジ１は、事務機９０の本体９１に対して原稿圧着板９２が閉じる方向に回動すると、アーム７０が回動するとともにスライダ４０が移動して、ダンパ６０による緩衝効果と、付勢部材５０による緩衝効果と、が発生するように構成される。
【００４１】
このように、ヒンジ１では、アーム７０がケース１０に回動可能に支持されるため、事務機９０の本体９１に対して原稿圧着板９２が閉じる方向（回動角度が小さくなる方向に）に回動したときに、スライダ４０の位置によらず、アーム７０がカムブロック２０のアーム側カム面２２に当接した状態で回動してダンパ６０のピストン６２のロッド部６３を押し込むことができる。
したがって、ヒンジ１では、事務機９０の本体９１に対して原稿圧着板９２が閉じる方向に回動したときに、スライダ４０の位置によらず、ダンパ６０による緩衝効果を発生させることができる。
【００４２】
図２、図７、または、図８に示すように、ヒンジ１は、事務機９０の本体９１に対して原稿圧着板９２が閉じる方向に回動して本体９１に対する原稿圧着板９２の回動角度が所定の回動角度（回動角度θ＝７５°）以下となったときに、スライダ４０の当接部４２がカムブロック２０におけるスライダ側カム面２３の上方の面に当接するように構成される。
ヒンジ１は、前記スライダ４０の当接部４２がカムブロック２０におけるスライダ側カム面２３の上方の面に当接した状態でさらに事務機９０の本体９１に対して原稿圧着板９２が閉じる方向に回動した場合には、スライダ４０がカムブロック２０に接近せず、かつ、カムブロック２０から離間しないように構成される。
ヒンジ１は、事務機９０の本体９１（第一連結対象物）に対して原稿圧着板９２（第二連結対象物）が閉じる方向に回動して本体９１に対する原稿圧着板９２の回動角度が所定の回動角度（回動角度θ＝７５°）以下となったときに、スライダ４０の当接部４２がカムブロック２０のスライダ側カム面２３に当接した状態が解消されて、スライダ４０におけるカムブロック２０から離間する方向への移動が停止するように構成される。
【００４３】
このようにして、ヒンジ１では、事務機９０の本体９１に対して原稿圧着板９２が閉じる方向に回動したときに、本体９１に対する原稿圧着板９２の回動角度が所定の回動角度（回動角度θ＝７５°）よりも大きい状態では、ダンパ６０による緩衝効果と付勢部材５０による緩衝効果とが生じるが、事務機９０の本体９１に対する原稿圧着板９２の回動角度が所定の回動角度以下（回動角度θ＝７５°）の状態では、付勢部材５０の付勢力に抗してスライダ４０を移動させる力がスライダ４０にかからず、付勢部材５０による緩衝効果が発生しない（発生する緩衝効果はダンパ６０によるもののみになる）。
したがって、ヒンジ１によれば、事務機９０の本体９１に対して原稿圧着板９２が閉じる方向に回動する動作途中から、ヒンジ１全体としての緩衝効果を小さくすることができる。
また、このように構成されるヒンジ１では、付勢部材５０の付勢力およびダンパ６０の戻しバネの付勢力を設定することによって、事務機９０の本体９１に対する原稿圧着板９２の回動角度が所定の回動角度（回動角度θ＝７５°）よりも大きい状態では、本体９１に対する原稿圧着板９２の回動角度が保持され、事務機９０の本体９１に対する原稿圧着板９２の回動角度が所定の回動角度以下（回動角度θ＝７５°）の状態では、原稿圧着板９２の自重によって本体９１に対して原稿圧着板９２が閉じる方向に自動的に回動するように構成することもできる。
【００４４】
なお、事務機９０の原稿圧着板９２は、読取前原稿収容トレイ、ＡＤＦ（Ａｕｔｏ Ｄｏｃｕｍｅｎｔ Ｆｅｅｄｅｒ）および読取後原稿収容トレイを具備しない構成としてもよい。
また、ヒンジ１は、ケース１０が事務機９０の原稿圧着板９２に固定され、カムブロック２０が事務機９０の本体９１に固定されて、事務機９０の本体９１に原稿圧着板９２を回動可能に連結するように構成してもよい。
【００４５】
次に、本発明の第二実施形態に係るヒンジ１について、図９から図１５を用いて説明する。
なお、第二実施形態に係るヒンジ１の説明は、第一実施形態に係るヒンジ１と同様の構成の部分については適宜省略し、第一実施形態に係るヒンジ１の構成と異なる部分を中心に説明する。
【００４６】
図９乃至図１１に示すように、ヒンジ１のアーム７０の貫通孔７１は、アーム７０の下部から上部に向かって伸びる長孔状に構成される。アーム７０の貫通孔７１は、アーム７０の貫通孔７１およびケース１０の第二ピン孔１４にアームピン８０が挿入されてアーム７０がケース１０に回動可能に支持された状態において、ダンパ６０のピストン６２の移動方向と交差する方向に伸びるように構成される。
アーム７０は、アーム７０の貫通孔７１およびケース１０の第二ピン孔１４にアームピン８０が挿入されてケース１０に回動可能に支持された状態で、アーム７０の貫通孔７１の伸びる方向（ダンパ６０のピストン６２の移動方向と交差する方向）に移動可能（ぐらつくように）構成される。
【００４７】
ヒンジ１のアーム７０は、突出部７３を備える。
アーム７０の突出部７３は、円柱状に構成される。
アーム７０の突出部７３は、アーム７０の上部に配置される。アーム７０の突出部７３は、当接部７２の左方（カムブロック２０側）に配置される。アーム７０の突出部７３は、アーム７０の前後の面の左右中央から前後方向（ケース１０の支持部１２側）にそれぞれ突出するように構成される。
【００４８】
図９、図１０、図１２、または、図１３に示すように、ヒンジ１のスライダ４０は、案内部４３と、案内溝４４と、を備える。
【００４９】
ヒンジ１のスライダ４０の案内部４３は、スライダ４０の上下略中央に配置される。
スライダ４０の案内部４３は、ロッド孔４１の前後において当接部４２から左方（カムブロック２０側）にそれぞれ突出するように形成される。
スライダ４０の案内部４３は、案内部４３のロッド孔４１側の面と当接部４２のロッド孔４１側の面とが面一となるように構成される。
【００５０】
ヒンジ１のスライダ４０の案内溝４４は、カムブロック２０が回動してアーム７０が回動し、アーム７０がダンパ６０のピストン６２のロッド部６３を押し込むときに、ダンパ６０のピストン６２の移動方向（ピストン６２のロッド部６３におけるシリンダ６１からの突出長が短くなるように移動するときのピストン６２の移動方向）に沿ってアーム７０が移動するようにアーム７０を案内するものである。
スライダ４０の案内溝４４は、その当接部４２と案内部４３とにおけるロッド孔４１側の面に形成される。スライダ４０の案内溝４４は、その当接部４２および案内部４３における上下略中央に形成される。スライダ４０の案内溝４４は、ダンパ６０のピストン６２の移動方向（ピストン６２のロッド部６３におけるシリンダ６１からの突出長が短くなるように移動するときのピストン６２の移動方向）に沿って溝状に形成される。スライダ４０の案内溝４４は、アーム７０の突出部７３を配置可能に形成される。
【００５１】
ここで、従来のヒンジでは、事務機の本体に対して原稿圧着板が閉じる方向に回動して、アームがダンパのピストンのロッド部を押し込むときに、アームにおけるダンパのピストンのロッド部に当接する位置のズレを生じさせながらアームが回動する。
つまり、従来のヒンジでは、事務機の本体に対して原稿圧着板が閉じる方向に回動して、アームがダンパのピストンのロッド部を押し込むときに、アームからダンパのピストンへ加わる力の方向が変化しながらアームが回動する。
そして、従来のヒンジでは、アームにおけるダンパのピストンのロッド部に当接する位置のズレ幅が大きく、アームからダンパのピストンへ加わる力の方向の変化幅が大きい場合には、事務機の本体に対して原稿圧着板が閉じる方向に回動してアームが回動し、アームによってロッド部が押し込まれてダンパのピストンが移動するときのピストンの動作不良が発生する場合（ダンパのピストンがシリンダ内で引っ掛かって移動しない場合）がある。
【００５２】
ヒンジ１では、図９、図１４、または、図１５に示すように、事務機９０の本体９１に対して原稿圧着板９２が閉じる方向に回動して、アーム７０がカムブロック２０のアーム側カム面２２に当接した状態でダンパ６０のピストン６２のロッド部６３を押し込むときに、アーム７０が長孔の伸びる方向（上下方向）に移動しながら回動する。
ヒンジ１では、事務機９０の本体９１に対して原稿圧着板９２が閉じる方向に回動して、アーム７０がカムブロック２０のアーム側カム面２２に当接した状態で回動してダンパ６０のピストン６２のロッド部６３を押し込むときに、スライダ４０の案内溝４４（ダンパ６０のピストン６２のロッド部６３におけるシリンダ６１からの突出長が短くなるように移動するときのピストン６２の移動方向）に沿って、アーム７０がケース１０側に移動する。
【００５３】
このようにして、ヒンジ１のアーム７０は、事務機９０の本体９１（第一連結対象物）に対して原稿圧着板９２（第二連結対象物）が閉じる方向（回動角度が小さくなる方向に）に回動して、ダンパ６０のピストン６２のロッド部６３を押し込むときに、ダンパ６０のピストン６２のロッド部６３におけるシリンダ６１からの突出長が短くなるように移動するときのピストン６２の移動方向に沿って移動するように構成される。
このため、ヒンジ１では、事務機９０の本体９１に対して原稿圧着板９２が閉じる方向に回動して、アーム７０がダンパ６０のピストン６２のロッド部６３を押し込むときに、従来のもの（アーム７０が、事務機９０の本体９１に対して原稿圧着板９２が閉じる方向に回動して、ダンパ６０のピストン６２のロッド部６３を押し込むときに、ダンパ６０のピストン６２の移動方向に沿って移動しないもの）に比べて、アーム７０におけるダンパ６０のピストン６２のロッド部６３に当接する位置のズレ幅を小さくすることができる。
そして、ヒンジ１では、事務機９０の本体９１に対して原稿圧着板９２が閉じる方向に回動して、アーム７０がダンパ６０のピストン６２のロッド部６３を押し込むときに、従来のものに比べて、アーム７０からダンパ６０のピストン６２へ加わる力の方向の変化幅を小さくすることができる。
したがって、ヒンジ１によれば、事務機９０の本体９１（第一連結対象物）に対して原稿圧着板９２（第二連結対象物）が閉じる方向（回動角度が小さくなる方向に）に回動して、アーム７０によって押し込まれて、ダンパ６０のピストン６２のロッド部６３におけるシリンダ６１からの突出長が短くなるように移動するときのピストン６２の移動動作不良が発生することを抑制することができる。
【符号の説明】
【００５４】
１    ヒンジ
１０  ケース
１１  収容室
２０  カムブロック
２１  カム面
３０  回動ピン
４０  スライダ
５０  付勢部材
６０  ダンパ
６１  シリンダ
６２  ピストン
６３  ロッド部
７０  アーム
８０  アームピン
【図１】
2014029181.tif 000003
【図２】
2014029181.tif 000004
【図３】
2014029181.tif 000005
【図４】
2014029181.tif 000006
【図５】
2014029181.tif 000007
【図６】
2014029181.tif 000008
【図７】
2014029181.tif 000009
【図８】
2014029181.tif 000010
【図９】
2014029181.tif 000011
【図１０】
2014029181.tif 000012
【図１１】
2014029181.tif 000013
【図１２】
2014029181.tif 000014
【図１３】
2014029181.tif 000015
【図１４】
2014029181.tif 000016
【図１５】
2014029181.tif 000017